(57)【要約】      （修正有）【課題】塗工装置の配管内壁の洗浄及び、塗工装置のダイヘッド、インキ吐出部等の液吐出部内部の洗浄に際して、塗工液が洗浄用溶剤によりソルベントショックを発生することなく、短時間かつ少々の洗浄液でバラツキのない良好な洗浄が可能な洗浄機構を有する塗工装置及び洗浄方法を提供する。【解決手段】少なくとも塗工液貯蔵タンク６と、この塗工液貯蔵タンクに配管を介して接続されている液吐出部５と、前記配管内に設けられた洗浄手段４を備え、前記洗浄手段が、少なくとも、乾燥用ガスを供給する乾燥用ガス供給手段２と、複数の溶剤を供給する溶剤供給手段３と、前記乾燥用ガスの流量を制御する手段２７と、前記複数の溶剤の各々の流量を制御する手段２１と、を備える。【選択図】図１
2007069144.tif 000002
【特許請求の範囲】
【請求項１】
少なくとも塗工液貯蔵タンクと、この塗工液貯蔵タンクに配管を介して接続されている液吐出部と、前記配管内に設けられた洗浄手段を備えた塗工装置において、
前記洗浄手段が、少なくとも、
乾燥用ガスを供給する乾燥用ガス供給手段と、
複数の溶剤を供給する溶剤供給手段と、
前記乾燥用ガスの流量を制御する手段と、
前記複数の溶剤の各々の流量を制御する手段と、
を備えていて、
前記液吐出部がインキ吐出部であることを特徴とする塗工装置。
【請求項２】
前記溶剤供給手段が、切り換えバルブと、この切り換えバルブに接続された複数の溶剤タンクと、各溶剤タンクの貯液重量を計測するロードセルとを含むことを特徴とする請求項１に記載の塗工装置。
【請求項３】
前記溶剤供給手段が、溶剤流量制御バルブと流量計と溶剤用フィルターを含むことを特徴とする請求項１又は２に記載の塗工装置。
【請求項４】
塗工液貯蔵タンクと、配管を有し、この配管を介して塗工液を吐出する塗工装置の配管内部を洗浄する方法において、
配管の内部に、溶剤と乾燥用ガスの混合した流体を導入し、
さらにこの溶剤を、塗工液と相溶性の高い液体から洗浄性の高い液体に切り替えることを特徴とする洗浄方法。
【請求項５】
塗工液貯蔵タンク、塗工液供給ポンプ、及び液吐出部を備え、前記塗工液貯蔵タンクと塗工液供給ポンプは、塗工液用フィルターを間に介した第１吐出液配管で接続されており、また、前記塗工液供給ポンプと液吐出部は、塗工液切り換えバルブを介した第２塗工液配管で接続された液吐出装置において、２種類以上の溶剤を使用して塗工液と相溶性のある洗浄液から順次洗浄性の高い洗浄液のミストへと切り替えて、洗浄および乾燥する洗浄機構を有し、前記液吐出部がインキ吐出部であることを特徴とする塗工装置。
【請求項６】
前記洗浄機構が、２種類以上の溶剤を貯液する２個以上の溶剤タンクと、該タンクには、切り換えバルブと貯液重量を計測するロードセルを有し、溶剤の流量を制御する溶剤用流量制御バルブと流量計および溶剤用フィルターが順次に設けられ、第１切り換えバルブに接続されている溶剤用配管と、さらに第１切り換えバルブに乾燥用ガス貯蔵タンクと乾燥用ガスの流量を制御する乾燥用ガス流量制御バルブと、乾燥用ガス流量計と順次に設けられ、それが乾燥用ガス配管で接続され、さらに第１切り換えバルブと塗工液切り換えバルブとが洗浄配管とで接続されていることを特徴とする請求項５に記載の塗工装置。
【請求項７】
塗工液貯蔵タンク、塗工液供給ポンプ、及び液吐出部を備え、前記塗工液貯蔵タンクと塗工液供給ポンプは、塗工液用フィルターを間に介した第１塗工液配管で接続されており、また、前記塗工液供給ポンプと液吐出部は、塗工液切り換えバルブを介した第２塗工液配管で接続された液吐出装置の洗浄方法において、２種類以上の溶剤を使用して塗工液と相溶性のある第１洗浄液から第２洗浄液と、順次洗浄性の高い洗浄液のミストへと切り替えて、洗浄および乾燥することを特徴とする塗工装置のインキ吐出部の洗浄方法。
【請求項８】
前記第１洗浄液導入直前に第１洗浄液をミスト化した気体として導入し塗工液との相溶性を維持し、さらに塗工液接液部の乾燥防止を行いながら塗工液を送液配管系から外部に排出し、その後第１洗浄液を導入することを特徴とする請求項７記載の塗工装置の洗浄方法。
【請求項９】
前記第２洗浄液以降の洗浄液導入直前に第２洗浄液以降の洗浄液をミスト化した気体として導入し各洗浄液との相溶性を維持しながら洗浄効果を高めていき、さらに洗浄液接液部の乾燥防止を行い直前の洗浄液を配管系から外部に排出し、その後、次の洗浄液を導入することを特徴とする請求項７記載の塗工装置のインキ吐出部の洗浄方法。
【発明の詳細な説明】
【技術分野】
【０００１】
本発明は、液吐出部を有する塗工装置及びこの内部の洗浄機構、洗浄方法に関する。塗工装置は、少なくとも塗工液貯蔵タンクと、この塗工液貯蔵タンクに配管を介して接続されている液吐出部とを有している。具体的に、塗工装置とは、例えば、インキ吐出印刷装置、ダイコータ、スピンコータ、印刷装置等を指すものである。この塗工装置で製造するものとしてカラーフィルタが例示でき、着色レジストの薄膜を形成し、フォトリソグラフィー法にパターン形成して製造する。また、前記製造物としてエレクトロルミネセンス素子も例示でき、この有機発光層を、インキ吐出印刷装置等を用いて形成する。また、この外、回路基板、薄膜トランジスタ、マイクロレンズ、バイオチップ等を製造することができる。
【背景技術】
【０００２】
例えば、液吐出部としてインキ吐出部を有する塗工装置は、主にピエゾ方式、サーマル方式が用途に応じて用いられている。また、インキ吐出部は、インキ吐出口を複数有するブロックを形成し、このブロックが用途・目的に合わせて配置されることで吐出パターンが形成されている。しかし、塗工液の粘度が変わったり、塗工の制度を一定に保つため、図２に示すようなインキ吐出口４１や、塗工液溜まり４０等の複雑な部分を長時間かけて洗浄し、調整している。
【０００３】
さらに、図３に示すように塗工液貯蔵タンク６からインキ吐出部５の供給口までの配管の内径が小さく、かつ複雑な配管経路となっている。また、配管に使用される管は、樹脂製、ステンレス製、または内面に樹脂が被覆された金属製管が用いられ、さらに、塗工液供給ポンプ２３、あるいは塗工液切り換えバルブ１０、または塗工液用フィルター８等が管と接続され配管されている。
【０００４】
また、塗工液の交換や定期的な清掃を実施する場合、塗工液を配管から抜き出した後、配管内部を溶剤で洗浄するか、または、次に使用する塗工液を用いて加圧圧送することで前の塗工液を押し出して入れ替える方法が用いられている。この場合、洗浄用の溶剤または次に使用する塗工液は、配管内部容積により、適宜の量が吐出され液の置換が行われるようになっている。また、インキ吐出部の内部など複雑な構造あるいは形状の部分は、その都度、人手により分解、清掃が行われている。
【０００５】
一方、塗工液の多様化に伴い、塗工液の切り換え時間を速くすることが特に要望されている。インキ吐出部の洗浄に非常に時間がかかり、さらに、異種塗工液の混合、塗工液と洗浄用溶剤が混ざり合った時に、塗工液に起因する凝集物やゲル状物生じる現象であるソルベントショックが発生している。
【０００６】
上記現象を考慮して液吐出部としてダイヘッドを備える塗工装置の内部を容易に、かつ、効率よく洗浄することが可能な洗浄方法が提案されている（例えば、特許文献１参照）。
さらに、ダイヘッドのスリットノズルの先端に残留した固形化しつつある塗工液を、作業効率の低下を招くことなく、完全に除去することのできるスリットノズルの洗浄方法、および洗浄機構も知られている（例えば、特許文献２参照）。
また、配管洗浄用にピグ（ＰＩＧ：金属の塊）を用いて圧縮気体によって配管内壁を移動することにより、塗工液が押し出されることにより、配管洗浄時の塗工液ロスを低減するとともに、少量の洗浄溶剤で短時間で効率よく洗浄できるダイコータ洗浄装置も知られている（例えば、特許文献３参照）。
さらに、配管内壁の洗浄に際して、塗工液除去剤を用いて処理し、ついで、酸を用いて処理した後、フラッシング処理を行い、さらに水置換処理を行うことを特徴とした塗工液移送配管内壁の洗浄方法も知られている（例えば、特許文献４参照）。
また、液吐出部としてインキ吐出部を備えた塗工装置（インキ吐出印刷装置）において、このインキ吐出印刷装置の配管内部に洗浄液を送液して洗浄する方法が知られている（例えば、特許文献５）。
【特許文献１】特開平７−１３２２６７号公報
【特許文献２】特開２０００−１０７６７号公報
【特許文献３】特開平９−８５１５３号公報
【特許文献４】特開昭６３−２５６１６３号公報
【特許文献５】特開２００４−６６７３５号公報
【発明の開示】
【発明が解決しようとする課題】
【０００７】
上記特許文献１は液吐出部を洗浄するに際して、該塗布ヘッドにつながる塗工液供給管から塗布ヘッド内へ洗浄液を供給すると共に、この塗工液供給管を通過する洗浄液内に窒素ガス、アルゴンガス等の不活性ガスを吹き込むことにより、洗浄液流が気泡流化し、この気泡による攪拌効果が増加し、微小な隙間等に付着している残留塗工液も洗い流せるとされている。しかし、塗工液と相性のよくない洗浄液が使用された際に、ソルベントショックが発生する問題があった。
また、上記特許文献１に記載の方法では、大型化する液吐出部の塗工液溜まり内部あるいはスリットノズル等内部を洗浄する為に多量の洗浄溶剤が必要になっている問題があった。
次に、特許文献２に記載の手段は、スリットノズルの先端を、洗浄ノズルの射出口からエアーを噴射し、残った洗浄液を乾燥除去するものであり、複数のインキ吐出口を配置するインキ吐出部を洗浄することは困難であった。
さらに、特許文献３は、ピグが圧縮気体によって配管内壁を移動することにより、塗工液が洗浄されると記載されている。また、配管に使用されている管は、塗工装置あるいは塗工液等により樹脂製管、内面にフッ素樹脂やシリコーン樹脂等を被覆された金属製管があるが、これらの管は、ピグにより被覆表面が損傷されたり、あるいは表面が凹凸状となり、塗工液がより付着しやすくなる問題があった。また、液吐出口の幅が狭い場合、前記ピグが液吐出部に詰まったりし、内部洗浄に不向きであった。
特許文献４は、塗工液移送配管内壁を洗浄する際、まず、塗工液除去剤を用いて処理し、次いで、酸処理した後、フラッシング処理を行い、さらに水置換処理により、配管内壁を洗浄することが開示されているが、塗工液除去剤と洗浄される塗工液に使用する溶剤との相溶性が悪い場合、ソルベントショックが発生する問題があった。また、最後の水置換をおこなうため、乾燥に時間がかかる問題があった。
特許文献５では、インキ吐出印刷装置内部に残存するインキと洗浄に用いる溶剤の相溶性によって、ソルベントショックを発生する問題があった。また、洗浄に際して配管内部及びインキ吐出部内に十分に洗浄液を行き渡らせるため、大量の洗浄液が必要であった。
【０００８】
本発明は、これら従来の問題を鑑み、塗工装置の配管内壁の洗浄及び、塗工装置のダイヘッド、インキ吐出部等の液吐出部内部の洗浄に際して、塗工液が洗浄用溶剤によりソルベントショックを発生することなく、短時間かつ少々の洗浄液でバラツキのない良好な洗浄が可能な洗浄機構を有する塗工装置及び洗浄方法を提供することを目的とする。
【課題を解決するための手段】
【０００９】
本発明は、上記の問題を解決するために成されたもので、請求項１に係る発明は、少なくとも塗工液貯蔵タンクと、この塗工液貯蔵タンクに配管を介して接続されている液吐出部と、前記配管内に設けられた洗浄手段を備えた塗工装置において、
前記洗浄手段が、少なくとも、
乾燥用ガスを供給する乾燥用ガス供給手段と、
複数の溶剤を供給する溶剤供給手段と、
前記乾燥用ガスの流量を制御する手段と、
前記複数の溶剤の各々の流量を制御する手段と、
を備えていて、
前記液吐出部がインキ吐出部であることを特徴とする塗工装置である。
【００１０】
請求項２に記載の発明は、前記溶剤供給手段が、切り換えバルブと、この切り換えバルブに接続された複数の溶剤タンクと、各溶剤タンクの貯液重量を計測するロードセルとを含むことを特徴とする請求項１に記載の塗工装置である。
【００１１】
請求項３に記載の発明は、前記溶剤供給手段が、溶剤流量制御バルブと流量計と溶剤用フィルターを含むことを特徴とする請求項１又は２に記載の塗工装置である。
【００１２】
請求項４に記載の発明は、塗工液貯蔵タンクと、配管を有し、この配管を介して塗工液を吐出する塗工装置の配管内部を洗浄する方法において、
配管の内部に、溶剤と乾燥用ガスの混合した流体を導入し、
さらにこの溶剤を、塗工液と相溶性の高い液体から洗浄性の高い液体に切り替えることを特徴とする洗浄方法である。
【００１３】
請求項５に記載の発明は、塗工液貯蔵タンク、塗工液供給ポンプ、及び液吐出部を備え、前記塗工液貯蔵タンクと塗工液供給ポンプは、塗工液用フィルターを間に介した第１吐出液配管で接続されており、また、前記塗工液供給ポンプと液吐出部は、塗工液切り換えバルブを介した第２塗工液配管で接続された液吐出装置において、２種類以上の溶剤を使用して塗工液と相溶性のある洗浄液から順次洗浄性の高い洗浄液のミストへと切り替えて、洗浄および乾燥する洗浄機構を有し、前記液吐出部がインキ吐出部であることを特徴とする塗工装置である。
【００１４】
請求項６に記載の発明は、前記洗浄機構が、２種類以上の溶剤を貯液する２個以上の溶剤タンクと、該タンクには、切り換えバルブと貯液重量を計測するロードセルを有し、溶剤の流量を制御する溶剤用流量制御バルブと流量計および溶剤用フィルターが順次に設けられ、第１切り換えバルブに接続されている溶剤用配管と、さらに第１切り換えバルブに乾燥用ガス貯蔵タンクと乾燥用ガスの流量を制御する乾燥用ガス流量制御バルブと、乾燥用ガス流量計と順次に設けられ、それが乾燥用ガス配管で接続され、さらに第１切り換えバルブと塗工液切り換えバルブとが洗浄配管とで接続されていることを特徴とする請求項５に記載の塗工装置である。
【００１５】
請求項７に記載の発明は、塗工液貯蔵タンク、塗工液供給ポンプ、及び液吐出部を備え、前記塗工液貯蔵タンクと塗工液供給ポンプは、塗工液用フィルターを間に介した第１塗工液配管で接続されており、また、前記塗工液供給ポンプと液吐出部は、塗工液切り換えバルブを介した第２塗工液配管で接続された液吐出装置の洗浄方法において、２種類以上の溶剤を使用して塗工液と相溶性のある第１洗浄液から第２洗浄液と、順次洗浄性の高い洗浄液のミストへと切り替えて、洗浄および乾燥することを特徴とする塗工装置のインキ吐出部の洗浄方法である。
【００１６】
請求項８に記載の発明は、前記第１洗浄液導入直前に第１洗浄液をミスト化した気体として導入し塗工液との相溶性を維持し、さらに塗工液接液部の乾燥防止を行いながら塗工液を送液配管系から外部に排出し、その後第１洗浄液を導入することを特徴とする請求項７記載の塗工装置の洗浄方法である。
【００１７】
請求項９に記載の発明は、前記第２洗浄液以降の洗浄液導入直前に第２洗浄液以降の洗浄液をミスト化した気体として導入し各洗浄液との相溶性を維持しながら洗浄効果を高めていき、さらに洗浄液接液部の乾燥防止を行い直前の洗浄液を配管系から外部に排出し、その後、次の洗浄液を導入することを特徴とする請求項７記載の塗工装置のインキ吐出部の洗浄方法である。
【発明の効果】
【００１８】
本発明によれば、塗工装置配管及び液吐出部の内部の洗浄において、まず溶剤と乾燥用ガスの混合したミスト状の流体で洗浄し、その後、溶剤そのものを配管に導入して洗浄を行なうことができる。このため、洗浄液の使用量を削減し、バラツキのない洗浄が可能となる。
また、本発明によれば、洗浄に複数の溶剤を用いる。そしてこの溶剤を、塗工液と相溶性のあるものから、順次煽情性の高い溶剤に切り替えることができるため、ソルベントショックの発生と乾燥を防止し、効果的に洗浄を行なうことが可能となる。
この方法により洗浄時間が概ね３／４に短縮することができる。
【００１９】
また、本発明によれば、塗工装置配管及び液吐出部の内部の洗浄において、まず溶剤と乾燥用ガスの混合したミスト状の流体で洗浄し、その後、別の溶剤と乾燥用ガスの混合したミストを配管に導入して洗浄を行なうことができる。このため、洗浄液の使用量をさらに削減し、バラツキのない洗浄が可能となる。
また同様に、溶剤を塗工液と相溶性のあるものから、順次煽情性の高い溶剤に切り替えることができるため、ソルベントショックの発生と乾燥を防止し、効果的に洗浄が可能となる。この方法によると洗浄時間が概ね３／４に短縮され、洗浄溶剤の使用量が２／３〜１／２に削減される。
【００２０】
また、本発明によれば、塗工装置配管及び液吐出部の内部の洗浄において、複数の溶剤を、任意の順番で配管に導入して洗浄を行なうことができる。このため、洗浄液の使用量を削減し、バラツキのない洗浄が可能となる。さらにこの溶剤を、塗工液と相溶性のあるものから、順次煽情性の高い溶剤に切り替えることができるため、ソルベントショックの発生を防止し、効果的に洗浄を行なうことが可能となる。
【発明を実施するための最良の形態】
【００２１】
本発明の塗工装置は、塗工液貯蓄タンクと、この貯蓄タンクに配管を介して接続されている液吐出部とを含んで備えるあらゆる塗工装置を含むものである。具体的には、塗工装置は、インキ吐出印刷装置、スリットコータ、ダイコータ、ディスペンサ、スピンコータ等の塗工装置を含むものである。また塗工装置の液吐出部として、インキ吐出部、フォトレジスト吐出部（ダイヘッド）、塗工部や、凸版印刷機、凹版印刷機、平版印刷機、反転印刷機等の印刷機のインキ吐出部などを挙げることができる。本発明の塗工装置は、複数のインキ吐出口を備えるインキ吐出部を有するインキ吐出印刷装置のインキ吐出部を洗浄するのに好適に用いることができる。
また、塗工装置は、カラーフィルタ、液晶材料、有機エレクトロルミネセンス素子、回路基板、バイオチップ、感熱記録材料、経皮吸収製剤等の部材の塗工に適しており、高精度・高精密の塗工が要求される。このため、この配管及び液吐出部の洗浄に際しては高い洗浄能力が要求される。
【００２２】
以下、本発明の最良の実施形態について、液吐出部にインキ吐出部を用いたインキ吐出印刷装置を例に説明する。インキ吐出印刷装置を実施の形態に沿って図面を参照し、詳細に説明する。図１は、本発明のインキ吐出印刷装置の一実施例を示す。
【００２３】
図１に示すように、インキ吐出印刷装置は、塗工ユニット部１と、溶剤貯蔵部３と乾燥ガスユニット部２が設けられている洗浄処理部４を備えている。
図３に示すように、塗工ユニット部１は、塗工する塗工液が貯蔵される塗工液貯蔵タンク６と、該塗工液貯蔵タンク６から塗工液をインキ吐出部５に供給する。その際、複数のインキ吐出口（インキ吐出ヘッドノズル）等から塗工液が同時に吐出されるために、ゴミなどの異物を取り除くための塗工液用フィルター８と、さらに塗工液を塗工液貯蔵タンク６から移送させるための塗工液供給ポンプ２３と、インキ吐出口５と、さらに該インキ吐出部５から落ちる塗工液を受ける止める塗工液受け皿１３と、該塗工液受け皿１３に落ちた塗工液と、インキ吐出部５に供給され余分の塗工液を貯める廃液槽７からなる。
そして、前記インキ吐出部５と塗工液受け皿１３を除いて、前記各部分が樹脂製パイプ、あるいはステンレス製パイプ、または金属製パイプの内面を樹脂加工等を施したパイプで配管されている。
【００２４】
さらに、溶剤貯蔵部３は、ソルベントショックを防止するために２種類以上の溶剤を貯えることができる２個以上の溶剤タンク１６が設けられている。
【００２５】
また、前記各々の溶剤タンク１６には、塗工液と相溶性のあるものから順次洗浄性の高い溶剤へと切り換えていくために、溶剤タンク１６の上側方向に、三方コップ型のタンク切り換え用バルブ１８が施され、さらに洗浄のバラツキをなくすために溶剤の重量制御をおこなうロードセル１９が溶剤タンク１６の底部に設けられている。
また、本発明に使用されるタンク切り換え用バルブ１８は、外部からの操作信号か、人手による操作のいずれかによって流路の切り換えを行うか、いずれかの方法を用いることにより行うができる。
前記切り替えは、洗浄機構と塗工装置等の仕様によって外部からの操作信号で作動するバルブか、人手により作動するバルブを用いるか適宜選択すれよい。
【００２６】
さらに、溶剤タンク１６から移送される溶剤の洗浄バラツキをなくすために、溶剤の流速を制御するための溶剤流量制御バルブ２１が設けられ、さらに前記溶剤流量制御バルブ２１の吐出方向に溶剤の流量を計測する流量計１７が施されている。
さらに、前記流量計１７を通過した溶剤は、溶剤の中の異物等を取るための溶剤用フィルター２０を通過し、乾燥ガスユニット部２からのガスと交わる第１切り換えバルブ２２が施されている場所に到達する。
さらにまた、洗浄時には、塗工ユニット部１の塗工液切り換えバルブ１０から洗浄するための溶剤が移送され、前記塗工ユニット部１の配管、あるいはインキ吐出部内部を順次相溶性のある溶剤により洗浄される。
そして、洗浄時に溶剤と窒素等の乾燥用ガスとを混合して塗工ユニット部１に送り込み、塗工ユニット部の配管、あるいはインキ吐出部５を洗浄することもできる。
【００２７】
また、乾燥ガスユニット部２は、配管あるいはインキ吐出部５の内部を乾燥させるためのガスを貯蔵する乾燥用ガスタンク２６と、ガスの流速を制御するための乾燥用ガス流量制御バルブ２７、および該ガス流量制御バルブ２７を通過したガスの流量を計測する乾燥用ガス流量計２８からなっている。
また、乾燥用ガス流量計２８を通過したガスは、溶剤タンク１６から移送された溶剤と交わる第１切り換えバルブ２２に到達し、さらに、洗浄時には、塗工ユニット部１の塗工液切り換えバルブ１０から、乾燥させるためのガスが移送して、塗工ユニット部１の配管、あるいはインキ吐出部５内部の溶剤による洗浄後の乾燥が施される。
【００２８】
ここで、第１切り換えバルブ２２の直前で分岐された溶剤用ミスト分岐バルブ３１と、気体用ミスト分岐バルブ３２が、ミストバルブ３３に接続され洗浄配管２９に合流される。ここで気体圧力は、各洗浄用溶剤圧力によって２００ＫＰａ未満での可変式対応となる。  
【００２９】
また、本発明の洗浄機構を有するインキ吐出印刷装置に使用される洗浄用溶剤は、特に限定されるものではないが、塗工液と相溶性が良いものが適宜選択される。例えば、塗工液に用いられているメイン溶剤がシクロヘキサノン溶剤の場合は、シクロヘキサノン溶剤で２０ＫＰａ〜１００ＫＰａの範囲の押し出し圧力で洗浄し、さらに２―ブタノン溶剤を用いて３０ＫＰａ〜１００ＫＰａの範囲の押し出し圧力で洗浄される。
【産業上の利用可能性】
【００３０】
本発明の活用例として、印刷機械や粘着加工機、顔料加工機等の色替えや材料替えが必要とする加工機、加工器機、または関連機器等幅広く利用できる。
【図面の簡単な説明】
【００３１】
【図１】塗工装置の一実施例を示す説明図である。
【図２】インキ吐出部の内部を示す模式図である。
【図３】塗工装置の一実施形態を示す概略構成図である。
【符号の説明】
【００３２】
１…塗工ユニット部
２…乾燥ガスユニット部
３…溶剤貯蔵部
４…洗浄処理部
５…インキ吐出部
６…塗工液貯蔵タンク
７…廃液槽
８…塗工液用フィルター
９…廃液缶
１０…塗工液切り換えバルブ
１１…塗工液挿入バルブ
１２…オーバーフロー用切り換えバルブ
１３…塗工液受け皿
１４…第１塗工液配管
１５…第２塗工液配管
１６…溶剤タンク
１７…溶剤用流量計
１８…溶剤送り出しバルブ
１９…ロードセル
２０…溶剤用フィルター
２１…溶剤流量制御バルブ
２２…第１切り換えバルブ
２３…塗工液供給ポンプ
２４…第１廃棄用バルブ
２５…第２廃棄用バルブ
２６…乾燥用ガスタンク
２７…乾燥ガス用流量制御バルブ
２８…乾燥ガス用流量計
２９…洗浄配管
３０…乾燥用バルブ
３１…溶剤用ミスト分岐バルブ
３２…気体用ミスト分岐バルブ
３３…ミストバルブ
４０…塗工液溜まり
４１…インキ吐出口
【図１】
2007069144.tif 000003
【図２】
2007069144.tif 000004
【図３】
2007069144.tif 000005